(57)【要約】【課題】ＵＳＢ端子シリーズＢプラグから電源供給を行うと同時に、所望の制御操作を可能とする情報処理装置及び情報処理方法を提供する。【解決手段】ＵＳＢ端子に印加された所定電位を検出し電源電位として供給する電源部と、ＵＳＢ端子へ所定情報が供給されたことを検出する情報検出部と、所定電位を検出した後に情報検出部が所定情報を検出する迄は少なくとも本体に設けられた操作キーから与えられる操作情報に従って、所定情報を検出した後はＵＳＢ端子へ供給された所定情報に従って、符号化処理又は復号化処理を行う処理部とを有する情報処理装置であり、ＵＳＢ端子から電源のみを供給する状態で、本体の操作キーで記録・再生操作等を行うことができる。【選択図】    図１
2004252749.tif 000002
【特許請求の範囲】
【請求項１】
シリアルバス用端子に印加された所定電位を検出する電位検出部と、
前記電位検出部が前記所定電位を検出すると、前記所定電位を電源電位として各部に供給する電源部と、
前記シリアルバス用端子への所定情報の供給を検出する情報検出部と、
前記電位検出部が前記所定電位を検出した後に、前記情報検出部が前記所定情報を検出する迄は少なくとも本体に設けられた操作キーから与えられる操作情報に従って、前記情報検出部が前記所定情報を検出した後は前記シリアルバス用端子へ供給された前記所定情報に従って、符号化処理又は復号化処理を行う処理部と、を具備することを特徴とする情報処理装置。
【請求項２】
前記処理部は、初期設定として、前記操作キーから与えられる操作情報に従って処理を行う動作モードが与えられていることを特徴とする請求項１記載の情報処理装置。
【請求項３】
前記処理部は、初期設定として、前記操作キーから与えられる操作情報及び前記シリアルバス用端子を介して与えられる前記所定情報との両方に従って処理を行う動作モードが与えられていることを特徴とする請求項１記載の情報処理装置。
【請求項４】
前記情報検出部が前記所定情報を検出した後は前記シリアルバス用端子へ供給された前記所定情報に従う処理を行う動作モードとした後に、前記電位検出部が前記所定電位の降下を検出すると、前記操作キーから与えられる操作情報に従って処理を行う動作モードへと変更するべく制御することを特徴とする請求項１記載の情報処理装置。
【請求項５】
前記情報検出部が前記所定情報を検出した後は前記シリアルバス用端子へ供給された前記所定情報に従う処理を行う動作モードとした後に、前記電位検出部が前記所定電位の降下を検出すると、初期設定に応じて、前記操作キーから与えられる操作情報に従って処理を行う動作モードへと変更することを特徴とする請求項１記載の情報処理装置。
【請求項６】
前記情報検出部が前記所定情報を検出した後は前記シリアルバス用端子へ供給された前記所定情報に従う処理を行う動作モードとした後に、前記電位検出部が前記所定電位の降下を検出すると、初期設定に応じて、前記操作キーから与えられる操作情報及び前記シリアルバス用端子を介して与えられる前記所定情報との両方に従って処理を行う動作モードへと変更するべく制御することを特徴とする請求項１記載の情報処理装置。
【請求項７】
前記電位検出部が前記シリアルバス用端子に印加された所定電位を検出してから所定時間が経過する迄は、前記情報検出部が前記所定情報を検出すると前記シリアルバス用端子へ供給された前記所定情報に従って処理を行う動作モードにより符号化処理又は復号化処理を行い、前記電位検出部が前記シリアルバス用端子に印加された前記所定電位を検出してから所定時間が経過した後は、前記所定情報の検出の有無にかかわらず、初期設定による動作モードにより符号化処理又は復号化処理を行うことを特徴とする請求項１記載の情報処理装置。
【請求項８】
前記処理部が記録処理中又は再生処理中であれば、前記情報検出部の前記所定情報の有無に関わらず、初期設定による動作モードにより符号化処理又は復号化処理を行うことを特徴とする請求項１記載の情報処理装置。
【請求項９】
前記処理部が記録処理中又は再生処理中であれば、前記情報検出部の前記所定情報の有無に関わらず、初期設定による動作モードにより符号化処理又は復号化処理を行い、記録処理又は再生処理が終了した後は、前記情報検出部が前記所定情報を検出すると前記シリアルバス用端子へ供給された前記所定情報に従って、符号化処理又は復号化処理を行うことを特徴とする請求項１記載の情報処理装置。
【請求項１０】
前記処理部が録音処理中又は再生処理中であれば、前記情報検出部の前記所定情報の有無に関わらず、初期設定による動作モードにより符号化処理又は復号化処理を行い、記録処理又は再生処理が終了した後は、前記情報検出部が前記所定情報を検出すると前記シリアルバス用端子へ供給された前記所定情報に従って、符号化処理又は復号化処理を行うことを特徴とする請求項１記載の情報処理装置。
【請求項１１】
前記処理部が初期設定として、外部から電源供給されるための動作モードに設定されている時、前記電位検出部が前記所定電位を検出した後に前記情報検出部が前記所定情報を検出するかどうかに関わらず、少なくとも本体に設けられた操作キーから与えられる操作情報に従って符号化処理又は復号化処理を行うことを特徴とする請求項１記載の情報処理装置。
【請求項１２】
前記処理部が初期設定として、外部から電源供給されるための動作モードに設定されている時、前記電位検出部が前記所定電位を検出した後に前記情報検出部が前記所定情報を検出するかどうかに関わらず、本体に設けられた操作キーから与えられる操作情報及び前記シリアルバス用端子を介して与えられる前記所定情報との両方に従って符号化処理又は復号化処理を行うことを特徴とする請求項１記載の情報処理装置。
【請求項１３】
シリアルバス端子に印加された所定電位を検出し、前記所定電位を電源電位として供給し、
前記所定電位を検出した後に、前記シリアルバス用端子へ前記所定情報を検出する迄は少なくとも本体に設けられた操作キーから与えられる操作情報に従って、前記所定情報を検出した後は前記所定情報に従って符号化処理又は復号化処理を行うことを特徴とする情報処理方法。
【請求項１４】
前記シリアルバス用端子に印加された所定電位を検出してから所定時間が経過する迄は、前記シリアルバス用端子へ供給された前記所定情報に従って処理を行う動作モードにより符号化処理又は復号化処理を行い、前記シリアルバス用端子に印加された前記所定電位を検出してから所定時間が経過した後は、前記所定情報の検出の有無にかかわらず、初期設定による動作モードにより符号化処理又は復号化処理を行うことを特徴とする請求項１３記載の情報処理方法。
【請求項１５】
前記符号化処理による記録処理中又は再生処理中であるとき、前記所定情報の有無に関わらず、初期設定による動作モードにより符号化処理又は復号化処理を行うことを特徴とする請求項１３記載の情報処理方法。
【請求項１６】
初期設定として外部から電源供給されるための動作モードに設定されている時は、前記所定電位を検出した後に前記シリアルバス用端子に前記所定情報を検出するかどうかに関わらず、少なくとも本体に設けられた操作キーから与えられる操作情報に従って符号化処理又は復号化処理を行うことを特徴とする請求項１３記載の情報処理方法。
【請求項１７】
入力インタフェースに印加された所定電位を検出する電位検出部と、
前記電位検出部が前記所定電位を検出すると、前記所定電位を電源電位として各部に供給する電源部と、
前記入力インタフェースへの所定情報の供給を検出する情報検出部と、
前記電位検出部が前記所定電位を検出した後に、前記情報検出部が前記所定情報を検出する迄は少なくとも本体に設けられた操作キーから与えられる操作情報に従って、前記情報検出部が前記所定情報を検出した後は前記入力インタフェースへ供給された前記所定情報に従って情報処理を行う処理部と、を具備することを特徴とする情報処理装置。
【発明の詳細な説明】
【０００１】
【発明の属する技術分野】
本発明は、デジタル情報の符号化・復号化を行う情報処理装置に関し、特に、ＵＳＢ端子などのシリアルバスを介して電源供給を行う情報処理装置及び情報処理方法に関する。
【０００２】
【従来の技術】
最近、デジタル技術の進歩に伴い、デジタル情報の符号化・復号化を行う情報処理装置が多く開発・製造され普及してきている。このようなデジタル情報の情報処理装置においては小型化も進み、手軽にデジタル情報を扱うツールとしての情報処理装置が一般化してきている。
【０００３】
このような情報処理装置においては、他の情報処理装置との情報の通信等において、ＵＳＢ（Ｕｎｉｖｅｒｓａｌ  Ｓｅｒｉａｌ  Ｂｕｓ）端子を用いる場合が多い。ＵＳＢは信号線以外に電源を有する通信規格であり、装置を起動状態のままで接続と切り離しが容易となる。従って、通信規格としては非常に利便性が高いが、通信情報に限らず、このＵＳＢ端子の電源端子を用いて、情報処理装置の電源を供給することも可能である。
【０００４】
これに関連した従来技術として、ＵＳＢ端子を介してデジタル情報機器に電源供給を行うＰＣ（Ｐｅｒｓｏｎａｌ  Ｃｏｍｐｕｔｅｒ）を示した例がある（例えば、特許文献１参照）。ここでは、ＵＳＢ端子を介して例えばデジタル情報機器に電源を供給することができる。
【０００５】
【特許文献１】
特開２００１−２４２９６５号公報。
【０００６】
【発明が解決しようとする課題】
しかし、上述した従来技術が示すＰＣにおいては、ＵＳＢ端子を介して例えば情報機器へ電源を供給するが、ここで、情報機器の方では、電源のみが供給されても電源だけを受けて制御動作は本体のキー操作を行うということができず、例えば、ＰＣモードへと動作モードが変更され、ＰＣからのコマンドによってでなければ操作を行うことができなくなる。従って、例えば、家庭用電源である交流電源が電源アダプタにより整流された直流電源をＵＳＢ端子から供給して、通常のように本体の操作スイッチで操作するということができない。
【０００７】
すなわち、電源アダプタからＵＳＢ端子を介して電源を供給した場合、情報機器の側では、例えば、ＰＣ上のアプリケーションによって制御されるべく電源が供給される場合と同等に扱われるため、情報機器の操作キーは操作不能となり、外部ＰＣからＵＳＢ端子へ供給される制御信号を待機することとなる。従って、制御信号が供給されない場合は、エラーとなるか待機状態が続くこととなるため、電源アダプタからの電源供給をＵＳＢ端子を介して行うことができないという問題がある。又、更に、ＵＳＢ端子から電源を供給する場合、外部ＰＣからの制御のみとなってしまうため、情報機器の本体の操作キーと外部ＰＣとの両方の制御を行いたいという場合も、このような制御を行うことができないという問題がある。
本発明は、上記問題に鑑み、ＵＳＢ端子から電源供給を行うと同時に、所望の制御操作を可能とする情報処理装置及び方法を提供することを目的とする。
【０００８】
【課題を解決するための手段】
本発明は上記課題を解決するべく、ＵＳＢ（Ｕｎｉｖｅｒｓａｌ  Ｓｅｒｉａｌ  Ｂｕｓ）端子に印加された所定電位を検出する電位検出部と、前記電位検出部が前記所定電位を検出すると、前記所定電位を電源電位として各部に供給する電源部と、前記ＵＳＢ端子へ所定情報が供給されたことを検出する情報検出部と、前記電位検出部が前記所定電位を検出した後に、前記情報検出部が前記所定情報を検出する迄は少なくとも本体に設けられた操作キーから与えられる操作情報に従って、又、前記情報検出部が前記所定情報を検出した後は前記ＵＳＢ端子へ供給された前記所定情報に従って、符号化処理又は復号化処理を行う処理部とを具備することを特徴とする情報処理装置である。
【０００９】
本発明に係る情報処理装置によれば、ＵＳＢ端子に電源電位が供給されると、この電源電位を電源として使用する一方、装置の操作情報は、本体の操作キーで行い、その後、ＵＳＢ端子を介し外部ＰＣからのデバイスリクエスト信号等のコマンド等の所定情報を検出すると初めて、ＵＳＢ端子から与えられるコマンド等の所定情報に従って、装置を操作するものである。これにより、例えば、電源電位が外部ＰＣではなく、単に、電源アダプタからＵＳＢ端子に電源が供給される場合は、本体の操作キーが操作可能な状態で、電源供給が電源アダプタから可能となる。従って、ＵＳＢ端子を介して、外部ＰＣや電源アダプタからの電源供給が可能となる。
【００１０】
【発明の実施の形態】
以下、図面を参照してこの発明の実施形態である情報処理装置を詳細に説明する。図１は、本発明に係るデジタルデータ記録再生装置の一実施の形態を示すブロック図、図２は、デジタルデータ記録再生装置と外部のパソコン等との接続の一例を示す説明図である。
【００１１】
以下、図面を参照して本発明の実施の形態について詳細に説明する。以下の実施形態では、一例として、図１に示すデジタルデータ記録再生装置の場合を例として説明する。図１において、デジタルデータ記録再生装置１０は、映像・音声入力部２１と映像・音声出力部２８とに接続される映像・音声処理集積素子３１と、これに接続される中央処理装置であり制御部であるＣＰＵ２４と、これに接続される記憶領域であるＲＡＭ１１と、同様にＣＰＵ２４に接続される着脱可能な記憶媒体であるメモリカード２５と、同様にＣＰＵ２４に接続される内蔵される記憶領域であるフラッシュメモリ３２と、同様にＣＰＵ２４に接続される操作情報等を表示する液晶表示部３０と、同様にＣＰＵ２４に接続される操作スイッチ２９とを有している。更に、本発明の特徴に係るＵＳＢ端子３３と、これに接続され同様にＣＰＵ２４に接続されるＵＳＢコントローラ３４とを有し、更に、ダイオードを介してＵＳＢ端子３３に接続される電位検出部を含む電源部３５と、更に電源部３５にダイオードを介して接続される電池とを有している。ここで、ＵＳＢ端子３３は、電源端子Ｔ１と、制御情報端子Ｔ２，Ｔ３、接地端子Ｔ４とを少なくとも有している。
【００１２】
マイクロプロセッサ２４には、このデジタルデータ記録再生装置１０の音声録音や映像記録、音声・映像再生又は動作電源オフ等の操作入力用のスイッチを有した操作スイッチ２９と、この操作スイッチ２９からの入力に応じて、デジタルデータ記録装置１０の動作状態を示す液晶表示部３０が接続されている。
【００１３】
なお、不揮発性メモリカード２５は、デジタルデータ記録再生装置１０の図示していない筐体に設けたカードスロットに着脱できるようになっている。
【００１４】
また、Ａ／Ｄ回路２２、符号化圧縮回路２３、復号化伸張回路２６、及びＤ／Ａ回路２７は、１チップの映像・音声処理集積素子（以下、映像・音声処理ＩＣという）３１で構成されている。
【００１５】
このような構成において、本発明に係る情報処理装置であるデジタルデータ記録再生装置１０は、以下のように記録処理を行う。すなわち、映像・音声入力回路２１は、音楽や人の声などの音声を集音したり映像情報を取得してこれをアナログの電気信号を生成するマイクロホンとマイクロホン又はＣＣＤカメラ等で生成されたアナログ音声信号を増幅する増幅回路から構成されている。
【００１６】
この映像・音声入力回路２１で生成されたアナログ映像・音声信号は、基本的に初期設定として与えられた動作モードに応じて、上述した操作スイッチ２９から与えられた操作情報に応じて、アナログ／デジタル変換回路（以下、Ａ／Ｄ回路という）２２でデジタル映像・音声信号に変換されて、符号化圧縮回路２３に供給される。この符号化圧縮回路２３は、デジタル映像・音声信号を符号化し、データ圧縮を行い、所定のデジタル圧縮データが生成される。この符号化圧縮回路２３での符号化圧縮は、一例として、ＩＴＵ（国際電気通信連合）規格のＧ７２９Ａの圧縮技術を用いている。この符号化圧縮回路２３で生成されたデジタル符号化圧縮データは、マイクロプロセッサ２４を介して、不揮発性半導体メモリを搭載したカード（以下、不揮発性メモリカードという）２５又は内蔵されたフラッシュメモリ３２に記録される。このマイクロプロセッサ２４は、不揮発性メモリカード２５、又は内蔵されたフラッシュメモリ３２にデジタル符号化圧縮データの書き込み及び読み出し制御を行うと共に、書込デジタル符号化圧縮データの管理データも生成するようになっている。
【００１７】
又、更に、本発明に係る情報処理装置であるデジタルデータ記録再生装置１０は、以下のように再生処理を行う。デジタルデータ記録再生装置１０は、基本的に初期設定として与えられた動作モードに応じて、上述した操作スイッチ２９から与えられた操作情報に従って、このマイクロプロセッサ２４の制御下において、不揮発性メモリカード２５又は内蔵されたフラッシュメモリ３２から読み出されたデジタル符号化圧縮データが、復号化伸張回路２６でデータ伸張され、復号化してデジタル映像・音声信号に変換される。この復号化伸張回路２６で生成されたデジタル映像・音声信号は、デジタル／アナログ変換回路（以下、Ｄ／Ａ回路という）２７でアナログ映像・音声信号に変換され、増幅回路とスピーカ又はディスプレイから構成される映像・音声出力回路２８へと供給されることで、再生処理がなされるものである。
【００１８】
又、更に、本発明に係る情報処理装置であるデジタルデータ記録再生装置１０は、基本的に初期設定として与えられた動作モードに応じて、上述した操作スイッチ２９から与えられた操作情報に従って、他に、不揮発性メモリカード２５又は内蔵されたフラッシュメモリ３２から読み出されたデジタルデータ等を対照として編集処理等を行うことも可能である。又、これらの記録処理・再生処理・編集処理等のデジタル処理は、デジタルデータ記録再生装置１０の電源部が有する電池からの電源電位により行われるが、後述するようにＵＳＢ端子を介して与えられる電源電位によって電源供給を行うことも可能である。又、更に、これらの処理における操作情報は、本体に設けられた操作スイッチ２９からユーザの操作により与えられるものであるが、後述するように、ＵＳＢ端子３３を介して外部から、例えば、ＰＣ２から与えられるものであってもよい。
【００１９】
＜本発明に係る情報処理装置の動作モード決定処理＞
本発明に係る情報処理装置であるデジタルデータ記録再生装置１０は、電源部３５からの電源電位がＵＳＢ端子３３を介して外部装置、又は、電源アダプタから与えられるものであってもよい。又、その場合の操作情報は、本体の操作スイッチ２９で与えられることが可能である。以下、図面とフローチャートとを用いて本発明に係る情報処理装置の動作モード決定処理を詳細に説明する。図３乃至図６は、本発明に係るデジタルデータ記録再生装置の動作モード決定処理の一例を示すフローチャートである。
【００２０】
図２の（ａ）において、本発明に係る情報処理装置であるデジタルデータ記録再生装置１０は、ＵＳＢ端子３３に接続されるＵＳＢケーブル９により、外部の電源コンセント７に接続された電源アダプタ６に接続されている。更に、映像・音声出力部２８に接続されるイヤホン８が示される。又、（ｂ）において、本発明に係る情報処理装置であるデジタルデータ記録再生装置１０は、外部のＰＣ２と、一例として、ＵＳＢ端子３３に接続されるＵＳＢケーブル９により接続されている。又、二つのＵＳＢ端子にそれぞれが接続され、操作で一方を選択するものであってもよい。以下、このような接続が行われた場合の、電源供給の処理と、動作モードの決定方法について、４つのフローチャートを用いて順番に説明する。
図３のフローチャートにおいて、デジタルデータ記録再生装置１０は、操作スイッチ２９の電源スイッチが投入されると、ＣＰＵ２４の制御下において、予め設定されＲＡＭ１１等に記録されている初期設定、又は、ユーザにより与えられた初期設定に応じて、動作モードをキーモードとする（Ｓ１１）。キーモードとは、このデジタルデータ記録再生装置１０の操作情報が、操作スイッチ２９により与えられるという意味である。又、更に、両モードとして、操作スイッチ２９から与えられる操作情報と共に、ＵＳＢ端子３３等を介して外部ＰＣ２から与えられる制御情報も操作情報として扱う動作モードが選択可能である。この両モードの場合、ユーザは、本体の操作スイッチ２９の操作と同時に、ＰＣ２からのキー操作によってもこのデジタルデータ記録再生装置１０の操作が可能となる。
【００２１】
次に、ＵＳＢ端子３３の電源端子Ｔ１に所定電位（例えば、＋５Ｖ等）を電源部３５が内蔵する電位検出部で検出すると（Ｓ１２）、電源部３５は、電池による電源供給をやめて、電源端子Ｔ１からの所定電位に基づく電源供給を、このデジタルデータ記録再生装置１０の各部へと行う。
【００２２】
更に、このとき、制御部であるＣＰＵ２４は、ＵＳＢ端子３３の制御情報端子Ｔ２，Ｔ３を介し、ＵＳＢコントローラ３４を介して取得した、外部のＰＣ２等からの制御信号、例えば、デバイスリクエスト信号等の特有のコマンドを検出すると（Ｓ１３）、動作モードを先の初期設定であるキーモード（又は両モード）からＰＣモードに変更する（Ｓ１４）。ここで、ＰＣモードとは、ＰＣ（Ｐｅｒｓｏｎａｌ  Ｃｏｍｐｕｔｅｒ）からの制御信号により、このデジタルデータ記録再生装置１０が操作される動作モードであり、この動作モードが選択されると、本体の操作スイッチ２９では操作を行うことができなくなる。又、更に、その後、ＵＳＢ端子の印加電圧が降下したことを、電源部３５の電位検出部を介してＣＰＵ２４が認識すると（Ｓ１５）、初期設定であるキーモード（又は両モード）へと、動作モードを変更するものである（Ｓ１１）。
【００２３】
このように本発明に係る情報処理装置であるデジタルデータ記録再生装置１０によれば、ＵＳＢ端子から電源電位が与えられると、一律にＰＣモードとなり、本体の操作スイッチが使用できなくなるのではなく、ＵＳＢ端子を介してデバイスリクエスト信号等のコマンド等の所定情報を検出して初めてＰＣモードとするため、ＵＳＢ端子を介しての外部ＰＣや電源アダプタ６からの電源供給を、操作上の不具合を発生することなく可能とするものである。
【００２４】
又、図４のフローチャートにおいては、図３のフローチャートとほぼ同等の内容を示すものであるが、ステップＳ１６において、ＵＳＢ端子３３に電源供給があってから所定時間Ｔが経過するまでに、ＰＣからのコマンドがあるかどうかを判断するものである。この時間Ｔは、例えば、１秒、又は１０秒、又は３０秒であってもよい。これにより、例えば、電源アダプタ６からの電源供給であることが時間経過により明確になり、不要な待機処理を回避するため、一層の動作安定性を確保することが可能となる。
又、図５のフローチャートにおいては、図３のフローチャートとほぼ同等の内容を示すものであるが、ステップＳ１７において、電源電位が供給された時にデジタルデータ記録再生装置１０が録音処理（記録処理）を行っていないかどうかを判断するものである。すなわち、録音処理（又は映像等の記録処理）を行っている場合は、動作モードをキーモードからＰＣモードへと変更すると、録音処理（又は映像等の記録処理）が中断される怖れがある。従って、録音処理（又は映像等の記録処理）が終了したことを確認した後に、以降のステップＳ１３乃至Ｓ１５の処理を行うものである。なお、ここで、録音処理（又は映像等の記録処理）が終了するのを単に待機するのではなく、強制終了した後に、ＰＣモードにすることも好適である。又、録音処理（又は映像等の記録処理）に関わらず、再生処理や編集処理であっても同等の扱いとすることも好適である。
【００２５】
又、図６のフローチャートにおいては、図３のフローチャートとほぼ同等の内容を示すものであるが、ステップＳ１８において、供給モードなる動作モードが初期設定により操作スイッチ２９等を介してユーザの操作によって設定が可能とし、この供給モードが設定されている場合（Ｓ１８）、ステップＳ１１乃至Ｓ１５の処理を行わずに、動作モードをキーモード（又は初期設定によっては両モード）に固定した上で、外部からのＵＳＢ端子３３を介する電源供給を行うものである。又、この供給モードが解除されれば、図３のフローチャートと同等のステップＳ１１乃至Ｓ１５の処理が行われる。これにより、図２に示した電源アダプタ６からの電源供給により、デジタルデータ記録再生装置１０が動作する一方で、操作においては、本体の操作スイッチ２９により操作を行うことができるため、専用の電源端子を設ける必要がなく、ＵＳＢ端子３３を介して電源アダプタ６からの電源供給が安定して可能となる。
【００２６】
又、上述した本発明に係る実施形態においては、インタフェースとして、ＵＳＢを一例に上げて説明したが、インタフェースはこれに限るものではなく、例えば、ＩＥＥＥ（Ｉｎｓｔｉｔｕｔｅ  ｏｆ  Ｅｌｅｃｔｒｉｃａｌ  Ｅｌｅｃｔｒｏｎｉｃｓ  Ｅｎｇｉｎｅｅｒｓ）１３９４であっても、又は、他の電源端子を有するインタフェースであっても、同等の動作により、同等の作用効果を有するものである。
【００２７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２８】
【発明の効果】
以上詳述したように本発明によれば、ＵＳＢ端子に電源電位が供給された時点では初期設定に応じて本体の操作スイッチで操作させ、その後、ＵＳＢ端子を介し外部ＰＣからコマンド等の所定情報を検出すると初めてＵＳＢ端子から与えられるコマンド等の所定情報に従って装置を操作することにより、例えば、ＵＳＢ端子を介した電源アダプタからの電源供給を可能とすることができる情報処理装置及び情報処理方法を提供することが可能となる。
【図面の簡単な説明】
【図１】本発明に係るデジタルデータ記録再生装置の一実施の形態を示すブロック図。
【図２】本発明に係るデジタルデータ記録再生装置と外部のパソコン等との接続の一例を示す説明図。
【図３】本発明に係るデジタルデータ記録再生装置の動作モード決定処理の一例を示すフローチャート。
【図４】本発明に係るデジタルデータ記録再生装置の動作モード決定処理の他の一例を示すフローチャート。
【図５】本発明に係るデジタルデータ記録再生装置の動作モード決定処理の他の一例を示すフローチャート。
【図６】本発明に係るデジタルデータ記録再生装置の動作モード決定処理の他の一例を示すフローチャート。
【符号の説明】１０…デジタルデータ記録再生装置、２２…アナログ／デジタル変換回路、２３…符号化圧縮回路、２４…ＣＰＵ、２５…メモリカード、２６…復号化伸張回路、２７…デジタル／アナログ変換回路、２９…操作スイッチ、３０…液晶表示部、３１…映像・音声処理ＩＣ、３２…フラッシュメモリ、３３…ＵＳＢ端子、３４…ＵＳＢコントローラ、３５…電源部。
【図１】
2004252749.tif 000003
【図２】
2004252749.tif 000004
【図３】
2004252749.tif 000005
【図４】
2004252749.tif 000006
【図５】
2004252749.tif 000007
【図６】
2004252749.tif 000008